(57)【要約】      （修正有）【課題】製造コストが安価で、所定の時間経過後、水圧により自動的に止水する出水時間の制御可能な蛇口用器具を提供する。【解決手段】一端が開口され他端が底部を有し、底部の中央の取付孔２２の周囲に出水孔２３を形成した収容体２０、収容体２０に位置決めされ、中央に中心孔、上部に中心孔と連通する放射状の貫通溝を形成したT字形の出水プレート４０、出水プレート４０の上方に設けられ、中央に貫通孔を形成した止水リング５０、出水プレート４０の中心孔に設けられ、中央に中心孔、外側に溝、下部にリング状凸部を設けた制御ロッド６０、取付孔２２を貫通して制御ロッドの下端に設けられ、上端にねじ孔を形成したボタンロッド７０、ボタンロッドの上端とリング状凸部の間の時間制御リング８０、制御ロッドの中心孔を貫通してボタンロッドのねじ孔と螺合し、一端に外径が制御ロッドより大きい断水Ｏリング９１を設けた固定ボルト９０を備えた構成とした。【選択図】図３
2006219903.tif 000002
【特許請求の範囲】
【請求項１】
一端が開口されて他端が底部を有しており、該底部の中央には取付孔が形成され、該取付孔の周囲に出水孔が形成され、外周壁に外係止凸部が設けられると共に、内側に階段状の内係止凸部が設けられる収容体と、
前記収容体の中央に位置決め配置され、中央に取付孔に対応する中心孔が形成され、上部に該中心孔と連通する放射状の貫通溝が形成されたＴ字形状の出水プレートと、
前記出水プレートの上方に設けられ、中央に前記中心孔に対応する貫通孔が形成される止水リングと、
前記出水プレートの中心孔に設けられ、中央に中心孔が形成されると共に、外側に前記貫通溝に対応する溝が形成され、下部の付近にリング状凸部が設けられた制御ロッドと、
前記取付孔を貫通して制御ロッドの下端に設けられ、上端にねじ孔が形成されたボタンロッドと、
前記ボタンロッドの上端と前記リング状凸部の間に設けられた時間制御リングと、
前記制御ロッドの中心孔を貫通してボタンロッドのねじ孔と螺合し、一端に外径が制御ロッドより大きい断水Ｏリングが設けられた固定ボルトとを備えることを特徴とする出水時間の制御可能な蛇口用器具。
【請求項２】
前記収容体の外側に、両端に開口が形成され、内部に階段状の内係止凸部を有する外ケースが設けられることを特徴とする請求項１に記載の出水時間の制御可能な蛇口用器具。
【請求項３】
前記固定ボルト、制御ロッド、時間制御リング及びボタンロッドが一体に構成されることを特徴とする請求項１又は２に記載の出水時間の制御可能な蛇口用器具。
【請求項４】
前記収容体の内部における内係止凸部に散水プレートが設けられ、該散水プレートの中央に孔が形成されると共に、該孔の周囲に複数の散水孔が形成されることを特徴とする請求項３に記載の出水時間の制御可能な蛇口用器具。
【請求項５】
前記止水プレートの貫通孔の付近に案内リングが設けられると共に、上方にフィルターが設けられることを特徴とする請求項４に記載の出水時間の制御可能な蛇口用器具。
【請求項６】
前記案内リングの外側に密接リングが設けられることを特徴とする請求項５に記載の出水時間の制御可能な蛇口用器具。
【請求項７】
前記外ケースの外側の上部にねじ山が設けられることを特徴とする請求項６に記載の出水時間の制御可能な蛇口用器具。
【請求項８】
前記出水プレートの中心孔は内径が徐々に拡大する構造であることを特徴とする請求項７に記載の出水時間の制御可能な蛇口用器具。
【発明の詳細な説明】
【技術分野】
【０００１】
本発明は、特に製造コストが安価で、所定の時間の経過後には、水圧により自動的に止水可能とした出水時間の制御可能な蛇口用器具に関するものである。
【背景技術】
【０００２】
水資源は大自然から人間に付与される重要な資源であるが、大部分の人は水道水を使用する際、水資源を大事にせずに浪費してしまっている。一般の蛇口に設けられるハンドルを回転することにより出水量を制御するようにしたものは、該ハンドルを締めない限り水が止まらず、結果的に多量の水を流出してしまうことになる。
その後、電子センサーにより所定の時間に所定の出水量を流出可能にした蛇口装置が開発された。尚、前記電子センサーを有する蛇口装置は一般に使用されており、関連する特許文献又は非特許文献は見出せない。
【発明の開示】
【発明が解決しようとする課題】
【０００３】
しかしながら、前記電子センサーを有する蛇口装置は、所定の時間に所定の出水量を流出させることを制御することができるようになっているが、製造コストが高いので、一般の家庭にまでは普及していない現状にある。
そこで、出願されたのが本発明であって、製造コストが安価で、所定の時間経過後には、水圧により自動的に止水する出水時間の制御可能な蛇口用器具を提供することを目的としている。
【課題を解決するための手段】
【０００４】
本願の出水時間の制御可能な蛇口用器具に係る請求項１の発明は、一端が開口されて他端が底部を有しており、該底部の中央には取付孔が形成され、該取付孔の周囲に出水孔が形成され、外周壁に外係止凸部が設けられると共に、内側に階段状の内係止凸部が設けられる収容体と、前記収容体の中央に位置決め配置され、中央に取付孔に対応する中心孔が形成され、上部に該中心孔と連通する放射状の貫通溝が形成されたＴ字形状の出水プレートと、前記出水プレートの上方に設けられ、中央に前記中心孔に対応する貫通孔が形成される止水リングと、前記出水プレートの中心孔に設けられ、中央に中心孔が形成されると共に、外側に前記貫通溝に対応する溝が形成され、下部の付近にリング状凸部が設けられた制御ロッドと、前記取付孔を貫通して制御ロッドの下端に設けられ、上端にねじ孔が形成されたボタンロッドと、前記ボタンロッドの上端と前記リング状凸部の間に設けられた時間制御リングと、前記制御ロッドの中心孔を貫通してボタンロッドのねじ孔と螺合し、一端に外径が制御ロッドより大きい断水Ｏリングが設けられた固定ボルトとを備えることを特徴とする。
【０００５】
本願の請求項２の発明は、請求項１に記載の出水時間の制御可能な蛇口用器具において、前記収容体の外側に、両端に開口が形成され、内部に階段状の内係止凸部を有する外ケースが設けられることを特徴とする。
本願の請求項３の発明は、請求項１又は２に記載の出水時間の制御可能な蛇口用器具において、前記固定ボルト、制御ロッド、時間制御リング及びボタンロッドが一体に構成されることを特徴とする。
請求項４の発明は、請求項３に記載の出水時間の制御可能な蛇口用器具において、前記収容体の内部における内係止凸部に散水プレートが設けられ、該散水プレートの中央に孔が形成されると共に、該孔の周囲に複数の散水孔が形成されることを特徴とする。
請求項５の発明は、請求項４に記載の出水時間の制御可能な蛇口用器具において、前記止水プレートの貫通孔の付近に案内リングが設けられると共に、上方にフィルターが設けられることを特徴とする。
請求項６の発明は、請求項５に記載の出水時間の制御可能な蛇口用器具において、前記案内リングの外側に密接リングが設けられることを特徴とする。
請求項７の発明は、請求項６に記載の出水時間の制御可能な蛇口用器具において、前記外ケースの外側の上部にねじ山が設けられることを特徴とする。
請求項８の発明は、請求項７に記載の出水時間の制御可能な蛇口用器具において、前記出水プレートの中心孔は内径が徐々に拡大する構造であることを特徴とする。
【発明の効果】
【０００６】
本発明は上記の課題を解決するものであり、ボタンロッドを押圧すると、水が収容体から流出させることができ、該ボタンロッドの押圧を開放することで、時間制御リングと出水プレートの中心孔の内壁との摩擦力により、出水時間を制御することができるものであり、構造が非常に簡単である。
【発明を実施するための最良の形態】
【０００７】
以下、添付図面を参照して本発明の好適な実施の形態を詳細に説明する。
【実施例】
【０００８】
図１は本発明に係る出水時間の制御可能な蛇口用器具の一実施例を示す斜視図であり、図２は本発明に係る出水時間の制御可能な蛇口用器具の分解斜視図であり、図３は本発明に係る出水時間の制御可能な蛇口用器具の断面図であり、図４は本発明に係る出水時間の制御可能な蛇口用器具の使用状態を示す断面図であり、図５は本発明に係る出水時間の制御可能な蛇口用器具の他の使用状態を示す断面図である。
【０００９】
図１乃至図３に示すように、本発明に係る出水時間の制御可能な蛇口用器具は、両端に開口が形成され、内部に階段状の内係止凸部１１が設けられると共に、外側の上部に雄ねじ１２が設けられた外ケース１０からなり、前記外ケース１０内部には収容体２０が収容されている。  
【００１０】
前記収容体２０は、一端が開口され他端が底部を有しており、該底部の中央には取付孔２２が形成され、該取付孔２２の周囲に出水孔２３が形成されている。また、前記収容体２０の外周壁面には前記内係止凸部１１に対応する外係止凸部２４が設けられると共に、内側に階段状の内係止凸部２５が設けられている。
前記収容体２０の内係止凸部２５には、中央に孔３１が形成されると共に、該孔３１の周囲に複数の散水孔３２が形成される散水プレート３０が設置されている。
【００１１】
また、前記散水プレート３０の中心の孔３１には、中央に取付孔２２に対応し合う先端部の内径が徐々に拡大するテーパを有する中心孔４１が形成され、上部に該中心孔４１と連通する放射状の貫通溝４２が形成されたT字形の出水プレート４０が位置決めされている。
前記出水プレート４０の上方には、中央に前記中心孔４１に対応し合う貫通孔５１が形成され、該貫通孔５１の付近に案内リング５２が設けられると共に、上方にフィルター５３が設けられた止水リング５０が設けられている。前記案内リング５２の外側には密接リング５４が配設されている。
前記出水プレート４０の中心孔４１には、中央に中心孔６１が形成されると共に、外側に前記貫通溝４２に対応し合う溝６２が形成され、下部の付近にリング状凸部６３が設けられる制御ロッド６０が配設されている。
【００１２】
また、前記収容体２０の底部に形成した前記取付孔２２を貫通して、上端にねじ孔７１が形成されたボタンロッド７０が、前記制御ロッド６０の下端に設けられている。
さらに、前記ボタンロッド７０の上端と前記リング状凸部６３の間には、時間制御リング８０が設けられている。
【００１３】
さらにまた、前記制御ロッド６０の中心孔６１を貫通して前記ボタンロッド７０のねじ孔７１と螺合し、一端に外径が制御ロッド６０より大きい断水Ｏリング９１が設けられた固定ボルト９０とが配設されている。
【００１４】
前記実施例では、前記固定ボルト９０、制御ロッド６０、時間制御リング８０、及びボタンロッド７０は別体で構成したものについて説明したが、これらを一体に構成することにより、部材を減少してコストを縮減することができる。
【００１５】
本発明に係る出水時間の制御可能な蛇口用器具を組み合わせる際、先ず収容体２０を外ケース１０の内部に設置することにより、収容体２０の外係止凸部２４を外ケース１０の内係止凸部１１に位置決めし、順序に散水プレート３０、出水プレート４０及び止水リング５０を外ケース１０の内部に押し込み設置し、制御ロッド６０が下から上方へ収容体２０の取付孔２２、出水プレート４０の中心孔４１及び止水リング５０の貫通孔５１を貫通した後、断水Ｏリング９１を設けた固定ボルト９０を上から下方へ制御ロッド６０の中心孔６１と時間制御リング８０を貫通してボタンロッド７０のねじ孔７１と螺合させ、密接リング５４を止水リング５０の案内リング５２の外側に設置させ、フィルター５３を案内リング５２の上方に設置する。
【００１６】
本発明に係る出水時間の制御可能な蛇口用器具を一般の蛇口に設置する場合には、単に前記外ケース１０の雄ねじ１２を蛇口の出水口におけるねじ山と螺合するだけでよい。
そして、固定ロッド９０の断水Ｏリング９１が止水リング５０の貫通孔５１を閉塞しているので、ボタンロッド７０が押圧されない限り、水が該貫通孔５１を通して流れ出すことがない。
【００１７】
又、図４に示すように、ボタンロッド７０を上方に押し上げ操作した場合には、水が止水プレート５０の貫通孔５１、制御ロッド６０の溝６２、出水プレート４０の貫通溝４２、散水プレート３０の散水孔３２、及び収容体２０の出水孔２３を通って流れ出し、この際、時間制御リング８０の外縁が出水プレート４０の中心孔４１の内壁と密接される。又、前記中心孔４１は内径が徐々に拡大する構造であるので、制御ロッド６０のリング状凸部６３を中心孔４１に案内することにより、リング状凸部６３における時間制御リング８０を中心孔４１の内壁と接触させることができる。
【００１８】
図５に示すように、ボタンロッド７０の押圧を解除すると、固定ボルト９０の上部と制御ロッド６０のリング状凸部６３が水圧によって下方へ移動し、時間制御リング８０と中心孔４１の内壁の間に所定の摩擦力を有するので、固定ボルト９０が断水Ｏリング９１と貫通孔５１の接触まで徐々に下方へ移動することにより、出水時間を制御する。
【００１９】
又、図３に示すように、前記出水時間の制御を時間制御リング８０と中心孔４１の内壁との摩擦力によって制御し、該摩擦力の強さは固定ボルト９０とボタンロッド７０の螺合程度によって調整することができる。
【００２０】
又、前記実施例の外ケース１０と収容体２０は夫々独立な別部材で形成した構成で説明したが、これらを一体形成の構造にして、部材の数量を縮減して製造コストを下げることができる。
【産業上の利用可能性】
【００２１】
本発明は上記の構造を有するので、ボタンロッドを押圧すると、水を収容体から流れ出すことができ、該ボタンロッドを放すと、時間制御リングと出水プレートの中心孔の内壁との摩擦力により、出水時間を制御することができ、構造が非常に簡単である。
【図面の簡単な説明】
【００２２】
【図１】本発明に係る出水時間の制御可能な蛇口用器具の一実施例を示す斜視図である。
【図２】本発明に係る出水時間の制御可能な蛇口用器具の分解斜視図である。
【図３】本発明に係る出水時間の制御可能な蛇口用器具の断面図である。
【図４】本発明に係る出水時間の制御可能な蛇口用器具の使用状態を示す断面図である。
【図５】本発明に係る出水時間の制御可能な蛇口用器具の他の使用状態を示す断面図である。
【符号の説明】
【００２３】
１０        外ケース
１１        内係止凸部
１２        ねじ山
２０        収容体
２１        開口
２２        取付孔
２３        出水孔
２４        外係止凸部
２５        内係止凸部
３０        散水プレート
３１        孔
３２        散水孔
４０        出水プレート
４１        中心孔
４２        貫通溝
５０        止水リング
５１        貫通孔
５２        案内リング
５３        フィルター
５４        密接リング
６０        制御ロッド
６１        中心孔
６２        溝
６３        リング状凸部
７０        ボタンロッド
７１        ねじ孔
８０        時間制御リング
９０        固定ボルト
９１        断水Ｏリング
【図１】
2006219903.tif 000003
【図２】
2006219903.tif 000004
【図３】
2006219903.tif 000005
【図４】
2006219903.tif 000006
【図５】
2006219903.tif 000007